(57)【要約】【課題】観察画面に切り換えた時に観察画面上に表示される圧痕の中心位置と観察画面上の中心位置とがズレている場合であっても、正確な硬さ試験を行うことを可能にする。【解決手段】硬さ試験機（１００）に、試料台（４）をＸＹ方向に移動させる試料台駆動部（４Ａ）と、試料（Ｓ）に形成された圧痕（Ｘ）を撮像する撮像部（２）と、撮像部により撮像された圧痕を表示する表示部（７）と、表示部の表示画面（７１）に表示された試料の所定箇所を指定した場合に、その指定箇所（Ｐ）が表示画面の中心に位置するように試料台駆動部（４Ａ）を制御する制御手段（６）と、を備えた【選択図】        図１
2004286542.tif 000002
【特許請求の範囲】
【請求項１】
試料台に載置された試料の表面に圧子により所定の試験力を負荷して圧痕を形成させ、当該圧痕の所定の特徴点間の距離を計測することにより試料の硬さを測定する硬さ試験機であって、
前記試料台をＸＹ方向に移動させる試料台駆動部と、
前記試料に形成された圧痕を撮像する撮像部と、
前記撮像部により撮像された圧痕を表示する表示部と、
前記表示部の表示画面に表示された試料の所定箇所を指定した場合に、その指定箇所が前記表示画面の中心に位置するように前記試料台駆動部を制御する制御手段と、
を備えることを特徴とする硬さ試験機。
【請求項２】
前記制御手段は、
前記表示画面の中心座標を算出する表示画面中心座標算出手段と、
前記指定箇所の座標を算出する指定箇所座標算出手段と、
前記表示画面の中心座標と前記指定箇所の座標との座標差を算出する座標差算出手段と、
前記座標差算出手段により算出された座標差がほぼゼロとなるように前記試料台駆動部に駆動信号を出力する駆動信号出力手段と、
を有することを特徴とする請求項１に記載の硬さ試験機。
【発明の詳細な説明】
【０００１】
【発明の属する技術分野】
本発明は、硬さ試験機に関する。
【０００２】
【従来の技術】
従来、例えば、ビッカース硬さ試験機においては、試料台上に測定する試料を固定し、試料の上方から試料に正四角錐圧子を所定の力で押し付け、試料に矩形の圧痕を形成し、その圧痕の対角線の長さを計測する。そして、得られた対角線の長さからその圧痕の大きさを求め、その圧痕の大きさと圧痕を形成した力とから試料の硬さを算出する。
この圧痕の対角線の長さを求める方法としては、照明装置により圧痕を正面から照射してＣＣＤカメラで撮像し、ＣＣＤカメラから取り込んだ圧痕の画像を観察画面に表示し、観察画面に表示されるスケールを機械的に移動させて計測する方法などが行われている（例えば、特許文献１参照。）。
ところで、照明装置により圧痕を正面から照射することができない場合には、圧痕の一部に影ができた状態で、ＣＣＤカメラが圧痕を撮像してしまうため、通常、観察画面上に表示される圧痕の中心位置が観察画面の中心位置に位置するように調整がなされている。
【０００３】
【特許文献１】
特開平１１−２４１９８４号公報（図１）
【０００４】
【発明が解決しようとする課題】
しかしながら、例えば、時間的要因により観察画面上に表示される圧痕の中心位置が観察画面の中心位置とズレてしまうことがある。
このような場合、撮像された圧痕は正確な形状で観察画面に表示されないため、圧痕の対角線の長さを正確に計測することができず、試料の正確な硬さを測定できないという問題があった。このような問題は、特に、自動的に硬さを試験する硬さ試験機において顕著に現れる。
【０００５】
そこで、本発明の課題は、観察画面に切り換えた時に観察画面上に表示される圧痕の中心位置と観察画面上の中心位置とがズレている場合であっても、正確な硬さ試験を行うことができる硬さ試験機を提供することにある。
【０００６】
【課題を解決するための手段】
以上の課題を解決するため、請求項１に記載の発明は、例えば、図１及び図２に示すように、試料台（例えば、試料台４）に載置された試料（例えば、試料Ｓ）の表面に圧子（例えば、圧子３１）により所定の試験力を負荷して圧痕（例えば、圧痕Ｘ）を形成させ、当該圧痕の所定の特徴点間の距離を計測することにより試料の硬さを測定する硬さ試験機（例えば、硬さ試験機１００）であって、前記試料台をＸＹ方向に移動させる試料台駆動部（例えば、試料台駆動部４Ａ）と、前記試料に形成された圧痕を撮像する撮像部（例えば、撮像部２）と、前記撮像部により撮像された圧痕を表示する表示部（例えば、モニタ７）と、前記表示部の表示画面（例えば、表示画面７１）に表示された試料の所定箇所を指定した場合に、その指定箇所（例えば、指定箇所Ｐ）が前記表示画面の中心に位置するように前記試料台駆動部を制御する制御手段（例えば、制御部６）と、を備えることを特徴とする。
【０００７】
請求項１に記載の発明によれば、撮像部が試料台に載置された試料の圧痕を撮像すると、撮像された圧痕が表示部の表示画面に表示される。そして、ユーザが表示部の表示画面に表示された試料の所定箇所を指定した場合に、制御手段が、その指定箇所が表示画面の中心に位置するように試料台駆動部を制御して試料台を駆動させる。
よって、表示部の表示画面上に表示される圧痕の中心位置が表示画面の中心位置とズレている場合であっても、ユーザが表示画面の中心に位置させたい圧痕を指定することにより、制御手段が試料台駆動部を制御して表示部の表示画面上に表示される圧痕の中心位置を表示画面の中心位置に移動させるので、正確な硬さ試験を行うことができる。
【０００８】
請求項２に記載の発明は、例えば、図１及び図２に示すように、前記制御手段は、前記表示画面の中心座標を算出する表示画面中心座標算出手段（例えば、ＣＰＵ６１、ＲＡＭ６２、ＲＯＭ６３）と、前記指定箇所の座標を算出する指定箇所座標算出手段（例えば、ＣＰＵ６１、ＲＡＭ６２、ＲＯＭ６３）と、前記表示画面の中心座標と前記指定箇所の座標との座標差を算出する座標差算出手段（例えば、ＣＰＵ６１、ＲＡＭ６２、ＲＯＭ６３）と、前記座標差算出手段により算出された座標差がほぼゼロとなるように前記試料台駆動部に駆動信号を出力する駆動信号出力手段（例えば、ＣＰＵ６１、ＲＡＭ６２、ＲＯＭ６３）と、を有することを特徴とする。
【０００９】
請求項２に記載の発明によれば、表示画面中心座標算出手段が表示画面の中心座標を算出し、指定箇所座標算出手段が、ユーザが表示画面上で指定した指定箇所の座標を算出する。そして、座標差算出手段が表示画面の中心座標と指定箇所の座標との座標差を算出し、駆動信号出力手段が座標差算出手段により算出された座標差がほぼゼロとなるように試料台駆動部に駆動信号を出力する。
よって、表示画面の中心座標と指定箇所の座標とを求めるだけで試料台の位置修正を行うことができるので、試料台の位置修正の自動化を図ることができ、より使い勝手に優れた硬さ試験機とすることができる。
【００１０】
【発明の実施の形態】
以下、図面を参照して本発明の実施の形態における硬さ試験機１００について詳細に説明する。なお、本実施の形態では、硬さ試験機として、ビッカース硬さ試験機を例に説明する。
図１に示すように、硬さ試験機１００は、試験機本体１と、この試験機本体１の上側に取り付けられ、試料Ｓに形成された圧痕Ｘを観察し、撮像する撮像部２と、この撮像部２の下部に設けられ、回転することにより圧子３１と対物レンズ３２との切換が可能なターレット３と、試験機本体１の下部に上下移動可能に取り付けられ、ターレット３と対向配置された試料台４と、この試料台４の下側に設けられ、当該硬さ試験機１００の動作指示を行う操作パネル５等を備えている。
撮像部２は、顕微鏡部２１と、顕微鏡部２１に取り付けられたＣＣＤカメラ２２と、試料Ｓの観察位置を照らす照明装置２３と、対物レンズ３２等を備えている。
【００１１】
また、硬さ試験機１００は、試験機本体１の外部に制御手段として機能する制御部６と、ＬＣＤ（Ｌｉｑｕｉｄ  Ｃｒｙｓｔａｌ  Ｄｉｓｐｌａｙ）により構成され、撮像部２により撮像された圧痕Ｘ等を表示する表示部としてのモニタ７と、ユーザが各種条件等の設定や操作を行う入力部となるキーボード８、マウス９等を備えている。
【００１２】
図２に示すように、制御部６は、硬さ試験機１００を統括制御し、各種処理および判断等を行うものであり、圧子３１を駆動させる圧子駆動部３１Ａや試料台４を駆動させる試料台駆動部４Ａ等とバスＢを介して接続されている。
【００１３】
制御部６は、各種演算処理を行うＣＰＵ６１と、各種処理におけるワークメモリとして使用されるＲＡＭ６２と、制御、判断等各種処理用の各種プログラムや、各種硬さ試験に関するデータ等が記憶、格納されたＲＯＭ６３と、を備えている。
ＣＰＵ６１は、ＲＯＭ６３内に格納されたプログラムを読み出してＲＡＭ６２内に展開し、当該プログラムに基づいて各部への指示やデータの送信等を行うものであり、例えば、モニタ７の表示画面７１の中心座標を算出する表示画面中心座標算出手段として機能するとともに、モニタ７の表示画面７１上でユーザが指定した指定箇所Ｐの座標を算出する指定箇所座標算出手段として機能する。また、ＣＰＵ６１は、モニタ７の表示画面７１の中心座標と指定箇所Ｐの座標との座標差を算出する座標差算出手段として機能するとともに、算出された座標差がほぼゼロとなるように試料台駆動部４Ａに駆動信号を送信する送信手段として機能する。
【００１４】
ＲＯＭ６３は、例えば、モニタ７の表示画面７１の中心座標を算出する機能を実現させる表示画面中心座標算出プログラム、モニタ７の表示画面７１上でユーザが指定した指定箇所Ｐの中心座標を算出する指定箇所座標算出プログラム、算出されたモニタ７の表示画面７１の中心座標と指定箇所Ｐの座標との座標差を算出する座標差算出プログラム、算出された座標差がほぼゼロとなるように試料台駆動部４Ａに駆動信号を送信する送信プログラム等を有する。
【００１５】
次に、上記硬さ試験機１００により行う硬さ試験方法について、図３、図４を用いて説明する。
まず、ユーザが試料台４に硬さ試験の対象となる試料Ｓを載置し、固定する（ステップＳ１）。次いで、ユーザは、キーボード８又はマウス９から硬さ試験の指示を行い、ＣＰＵ６１が圧子駆動部３１Ａを駆動することにより、圧子３１が下降し、試料Ｓに圧痕Ｘを形成する（ステップＳ２）。なお、硬さ試験機１００は、ビッカース硬さ試験機であるため、図４（ａ）に示すように、圧痕Ｘは菱形状に形成される。
次いで、撮像部２が、圧痕Ｘが形成された試料Ｓを撮像し（ステップＳ３）、制御部６がその試料Ｓをモニタ７の表示画面７１に表示する（ステップＳ４）。
【００１６】
次いで、制御部６は、ユーザにより指定された指定箇所Ｐがあるか否かを判断する（ステップＳ５）。ここで、制御部６が、指定箇所Ｐがないと判断した場合（ステップＳ５；ＮＯ）、試料台４を移動させる必要がないため、本処理を終了する。一方、図４（ａ）に示すように、制御部６が、指定箇所Ｐがあると判断した場合（ステップＳ５；ＹＥＳ）、制御部６は、指定箇所Ｐの座標を算出する（ステップＳ６）。なお、図４（ａ）に示すように、このモニタ７の表示画面７１の中心座標を（ａ，ｂ）としておく。
次いで、制御部６は、モニタ７の表示画面７１の中心座標を算出する（ステップＳ７）。なお、図４（ａ）に示すように、このモニタ７の表示画面７１の中心座標を（ｃ，ｄ）としておく。
【００１７】
次いで、制御部６は、指定箇所Ｐの座標（ａ，ｂ）とモニタ７の表示画面７１の中心座標（ｃ，ｄ）とから座標差を算出する（ステップＳ８）。この座標差は、（ａ−ｃ，ｂ−ｄ）となる。
次いで、制御部６は、算出された座標差（ａ−ｃ，ｂ−ｄ）が（０，０）になるように、換言すれば、Ｘ軸の負の方向に（ａ−ｃ）、Ｙ軸の負の方向に（ｂ−ｄ）移動させるように試料台駆動部４Ａに駆動信号を送信し（ステップＳ９）、試料台４を駆動信号に基づいて移動させる。
【００１８】
本実施の形態の硬さ試験機１００によれば、撮像部２が試料台４に載置された試料Ｓの圧痕Ｘを撮像すると、撮像された圧痕Ｘがモニタ７の表示画面７１に表示される。そして、ユーザがモニタ７の表示画面７１に表示された試料Ｓの所定箇所を指定した場合に、制御部６が、その指定箇所Ｐが表示画面７１の中心に位置するように試料台駆動部４Ａを制御して試料台４を駆動させる。
よって、モニタ７の表示画面７１上に表示される圧痕Ｘの中心位置が表示画面７１の中心位置とズレている場合であっても、ユーザが表示画面７１の中心に位置させたい圧痕Ｘを指定することにより、制御部６が試料台駆動部４Ａを制御してモニタ７の表示画面７１上に表示される圧痕Ｘの中心位置を表示画面７１の中心位置に移動させるので、正確な硬さ試験を行うことができる。
【００１９】
また、ＣＰＵ６１は、表示画面中心座標算出プログラムを実行することにより、表示画面７１の中心座標を算出するとともに、指定箇所座標算出プログラムを実行することにより、ユーザが表示画面７１上で指定した指定箇所Ｐの座標を算出する。更に、ＣＰＵ６１は、座標差算出プログラムを実行することにより、表示画面７１の中心座標と指定箇所Ｐの座標との座標差を算出するとともに、駆動信号出力プログラムを実行することにより、算出された座標差がほぼゼロとなるように試料台駆動部４Ａに駆動信号を出力する。
よって、表示画面７１の中心座標と指定箇所Ｐの座標とを求めるだけで試料台４の位置修正を行うことができるので、試料台４の位置修正の自動化を図ることができ、より使い勝手に優れた硬さ試験機１００とすることができる。
【００２０】
なお、本発明は、上記実施の形態に限定されるものではない。例えば、硬さ試験機１００は、ビッカース硬さ試験機に限らず、ブリネル硬さ試験機やヌープ硬さ試験機等にも適用可能である。その他、発明の要旨を逸脱しない範囲内で変更可能である。
【００２１】
【発明の効果】
請求項１に記載の発明によれば、撮像部が試料台に載置された試料の圧痕を撮像すると、撮像された圧痕が表示部の表示画面に表示される。そして、ユーザが表示部の表示画面に表示された試料の所定箇所を指定した場合に、制御手段が、その指定箇所が表示画面の中心に位置するように試料台駆動部を制御して試料台を駆動させる。
よって、表示部の表示画面上に表示される圧痕の中心位置が表示画面の中心位置とズレている場合であっても、ユーザが表示画面の中心に位置させたい圧痕を指定することにより、制御手段が試料台駆動部を制御して表示部の表示画面上に表示される圧痕の中心位置を表示画面の中心位置に移動させるので、正確な硬さ試験を行うことができる。
【００２２】
請求項２に記載の発明によれば、表示画面中心座標算出手段が表示画面の中心座標を算出し、指定箇所座標算出手段が、ユーザが表示画面上で指定した指定箇所の座標を算出する。そして、座標差算出手段が表示画面の中心座標と指定箇所の座標との座標差を算出し、駆動信号出力手段が座標差算出手段により算出された座標差がほぼゼロとなるように試料台駆動部に駆動信号を出力する。
よって、表示画面の中心座標と指定箇所の座標とを求めるだけで試料台の位置修正を行うことができるので、試料台の位置修正の自動化を図ることができ、より使い勝手に優れた硬さ試験機とすることができる。
【図面の簡単な説明】
【図１】本発明の一実施の形態における硬さ試験機の斜視図である。
【図２】硬さ試験機の要部構成を示すブロック図である。
【図３】硬さ試験機による硬さ試験方法を説明するフローチャートである。
【図４】硬さ試験機による硬さ試験方法を説明する図である。
【符号の説明】
２        撮像部
３１      圧子
４        試料台
４Ａ      試料台駆動部
６        制御部（制御手段）
６１      ＣＰＵ
６２      ＲＡＭ
６３      ＲＯＭ
７        モニタ（表示部）
７１      表示画面
１００    硬さ試験機
Ｐ        指定箇所
Ｓ        試料
Ｘ        圧痕
【図１】
2004286542.tif 000003
【図２】
2004286542.tif 000004
【図３】
2004286542.tif 000005
【図４】
2004286542.tif 000006